(57)【特許請求の範囲】
【請求項１】
対向して直立し、硬貨貯留部の側面を形成する一対のサイドフレームと、
前記一対のサイドフレームの間に対向配置されて硬貨貯留部の側面を形成するとともに、それぞれの一端が回動可能に軸支され、それぞれの自由端が互いに内側に傾斜し、当該自由端が噛み合って硬貨貯留部の底部を形成する第１のガイド部材および第２のガイド部材とを有し、該第１のガイド部材または前記第２のガイド部材のいずれかを回動させて硬貨貯留部の底部を開放して貯留された硬貨の放出先を振り分ける硬貨一時貯留機構であって、
前記第１のガイド部材若しくは前記第２のガイド部材または両方のガイド部材の下部に吸音部材支持部を設け、前記吸音部材支持部を設けたガイド部材は、該吸音部材支持部との間に吸音部材を設け、前記吸音部材支持部を設けたガイド部材が、該吸音部材支持部とともに閉じ、該吸音部材支持部は、前記硬貨一時貯留機構が操作されることを防止することを特徴とする硬貨一時貯留機構。
【請求項２】
前記第１のガイド部材と前記第２のガイド部材の回動を規制または解除する規制部材を備え、前記吸音部材支持部は、前記規制部材を被うように位置し前記硬貨一時貯留機構を外部から操作することを防止することを特徴とする請求項１記載の硬貨一時貯留機構。
【請求項３】
前記吸音部材は、前記吸音部材支持部を設けたガイド部材と、該吸音部材支持部との間を隙間なく埋め、該吸音部材支持部の先端近傍まで貼り付けられることを特徴とする請求項１または２記載の硬貨一時貯留機構。
【請求項４】
請求項１ないし請求項３いずれか記載の硬貨一時貯留機構を備えた硬貨処理装置。
【発明の詳細な説明】
【技術分野】
【０００１】
本発明は、投入された硬貨を一時貯留し返却または収納する硬貨処理装置の一時貯留部の機構に関するものである。
【背景技術】
【０００２】
従来の硬貨一時貯留機構を備えた硬貨処理装置は、投入口に投入された硬貨を硬貨繰り出し部により繰り出し、識別部で識別し、正常と鑑別され計数された硬貨を平面板の底部が開閉する硬貨貯留部に一時的に貯留し（例えば、特許文献１参照）、顧客の意思を確認して金庫等の硬貨収納部に収納するかまたは顧客に返却するための硬貨返却部へ搬送するかを決定するようにしている。
【０００３】
この硬貨貯留部に一時的に貯留された硬貨を硬貨収納部に収納する硬貨搬送通路または硬貨返却部に返却する硬貨搬送通路に振り分ける方法として、硬貨貯留部に貯留したすべての硬貨を一括して底部の放出口から投入口の繰り出し部に戻し、１枚ずつ再分離をして搬送し、振分ゲートを通して硬貨収納部または硬貨返却部へ移送する方法、硬貨貯留部に貯留したすべてのすべての硬貨を一括して底部の放出口から落下させた後、その下部に設置された振分ゲートにより硬貨ルートを変える方法（例えぱ、特許文献２参照）や、硬貨貯留部自体を移動もしくは回転させ、底部の開口を硬貨収納部か硬貨返却部へ通じさせる方法があった。
【０００４】
ところが、上述した従来の技術においては、硬貨貯留部に貯留したすべての硬貨を一括して底部の放出口から投入口の繰出し部に戻し、１枚ずつ再分離をして搬送し、振分ゲートを通して硬貨収納部または硬貨返却部へ移送する方法では処理時間がかかるという問題があり、また、硬貨貯留部に貯留したすべての硬貨を一括して底部の放出口から落下させた後、その下部に設置された振分ゲートにより硬貨ルートを変える方法や硬貨貯留部自体を移動もしくは回転させて底部の開口を硬貨収納部か硬貨返却部へ通じさせる方法では装置が大型化するという問題があった。また、平板状の硬貨貯留部の底部に貯留した硬貨の重みが直接かかり、その硬貨の重みよる底部の開閉動作不良が発生する恐れがあるという問題があった。
【先行技術文献】
【特許文献】
【０００５】
【特許文献１】特開平１１−２６５４７０号公報
【特許文献２】特開平５−２６６３２７号公報
【発明の概要】
【発明が解決しようとする課題】
【０００６】
そこで、出願人は、特許文献１、特許文献２の従来技術における課題を解決する発明として、特願２００９−２６４１０１号を出願した。この硬貨一時貯留機構は、図６に示したような構成となっており、硬貨一時貯留機構１５１を小型化し、硬貨貯留部に貯留した硬貨を振り分ける動作時間を短縮できるようにするとともにその動作不良の発生を低減させるようにした。
【０００７】
しかしながら、出願人が出願した上記非公知の技術においては、硬貨処理装置上段１５０ａの硬貨投入口３０から硬貨処理装置１５０に投入された硬貨３２が硬貨繰出し部４１により繰り出され識別部４２により識別され、正常と判定された硬貨３２は矢印Ａのように搬送され、硬貨集積口３１から硬貨処理装置下段１５０ｂの硬貨一時貯留機構１５１に落下し、硬貨一時貯留機構１５１の返却用ガイド部材１、或いはさらに収納用ガイド部材２にぶつかり騒音が発生してしまうという問題があった。
【課題を解決するための手段】
【０００８】
本発明は、前述の課題を解決するために次の構成を採用する。すなわち、対向して直立し、硬貨貯留部の側面を形成する平板状の一対のサイドフレームと、前記一対のサイドフレームの間に対向配置されて硬貨貯留部の側面を形成するとともに、それぞれの一端が回動可能に軸支され、櫛歯状に形成されたそれぞれの自由端が互いに内側に傾斜し、当該自由端が噛み合って硬貨貯留部の底部を形成する第１のガイド部材および第２のガイド部材と、前記第１のガイド部材と前記第２のガイド部材の回動を規制または解除するそれぞれの第１の規制部材および第２の規制部材を備え、前記第１の規制部材または前記第２の規制部材のいずれかによる規制を解除して前記第１のガイド部材または前記第２のガイド部材のいずれかを回動させて硬貨貯留部の底部を開放して貯留された硬貨の放出先を振り分ける硬貨一時貯留機構であって、前記第１のガイド部材若しくは前記第２のガイド部材または両方のガイド部材の下側に吸音手段を備えた。
【発明の効果】
【０００９】
本発明の硬貨処理装置によれば、以上のように構成したので、硬貨一時貯留機構に集積される硬貨が返却用ガイド部材、或いはさらに収納用ガイド部材にぶつかって発生する騒音を低減することができる。
【図面の簡単な説明】
【００１０】
【図１】実施例１の硬貨処理装置および硬貨一時貯留機構の構成図である。
【図２】実施例１の硬貨処理装置の硬貨一時貯留機構の構成図である。
【図３】実施例１の硬貨処理装置および硬貨一時貯留機構の動作説明図である。
【図４】実施例１の硬貨処理装置および硬貨一時貯留機構の動作説明図である。
【図５】変形例の硬貨処理装置および硬貨一時貯留機構の構成図である。
【図６】従来の硬貨処理装置および硬貨一時貯留機構の構成図である。
【発明を実施するための形態】
【００１１】
以下、本発明に係わる実施の形態例を、図面を用いて説明する。図面に共通する要素には同一の符号を付す。なお、以下の説明では、硬貨を取り扱う硬貨処理金装置を例として説明するが、ゲーム機のメダルなどを取り扱うメダル処理装置などであってもよい。
【実施例１】
【００１２】
（構成）
図１は実施例１の硬貨処理装置５０の構成図であり、図２は硬貨一時貯留機構５１の構成図を示す。
【００１３】
まず、実施例１の硬貨処理装置５０は、同図に示したように、硬貨処理装置上段５０ａには硬貨投入口３０から硬貨処理装置５０に投入された硬貨３２を繰り出す硬貨繰出し部４１と、繰り出された硬貨３２を識別する識別部４２と、識別部４２にて正常と判定され矢印Ａのように搬送し硬貨集積口３１から落下させて集積する詳細後述の硬貨一時貯留機構５１と、識別部４２により正常でないと判定された異物３２ｂを集積する硬貨処理装置下段５０ｂに設けられたリジェクト部４３を備える。
【００１４】
さらに、実施例１の硬貨処理装置５０は、硬貨一時貯留機構５１の下部に備えられた硬貨収納部４４への通路としての収納硬貨放出通路２８と、一時貯留した硬貨３２を返却するための硬貨返却部１１が矢印Ｘのように引き出し可能に設けられている。
【００１５】
そして、前記硬貨一時貯留機構５１は、図２に示したように、対向して直立し、硬貨貯留部の側面を形成する平板状の一対のサイドフレーム１２、１３と、その内側には第１のガイド部材としての返却用ガイド部材１、第２のガイド部材としての収納用ガイド部材２が対向して設けられている。
【００１６】
返却用ガイド部材１および収納用ガイド部材２の下端は互いに内側に傾斜しておりその先端は硬貨径より小さいピッチの櫛歯状に形成され、互いに入れ子構造を成して、先端が交差して底部を塞いでいる。
【００１７】
これら返却用ガイド部材１、収納用ガイド部材２、サイドフレーム１２、１３によって、上部のみ開口した硬貨集積部が形成されている。
【００１８】
そして、返却用ガイド部材１および収納用ガイド部材２は上端でそれぞれガイド支点シャフト１４、１５を支点として回転可能に取り付けられている。また、返却用ガイド部材１および収納用ガイド部材２の一部はサイドフレーム１３より外側に伸びていて、押圧部１６、１７が形成されている。
【００１９】
５はガイド回転モータであり、ギヤ６を介して、返却用ガイド部材１および収納用ガイド部材２の回転支点シャフト１４、１５と同軸のギヤ７、８に駆動が伝わる。
【００２０】
ギヤ７には突起１８、ギヤ８には突起１９が設けられており、それぞれ前記のガイド部材の押圧部１６、１７に回転方向で当接している。
【００２１】
返却用ガイド部材１と収納用ガイド部材２は、スプリング２０により互いに内側に閉じる方向に付勢され、サイドフレーム１２、１３に取り付けられたリミッタ２１、２２で内側への回転位置が規制されている。
【００２２】
返却用ガイド部材１と収納用ガイド部材２の下部の交差した部分の直下にはシャフト２３が設けられ、返却用ガイド部材１の櫛歯形状の凸部分２４に当接する第１の規制部材としてのカム４と、収納用ガイド部材１の櫛歯形状の凸部分２５に当接する第２の規制部材カム３が、シャフト２３の中央近傍に固定されている。シャフト２３はガイド回転モータ５によりギヤ９、１０を介して回転する。
【００２３】
カム３、４は左右対称の略扇形の断面を持ち、通常はそれぞれ返却用ガイド部材１と収納用ガイド部材２の下端、すなわち凸部分２４、２５と当接してそれぞれのガイド部材の回転を規制している。
【００２４】
そして、硬貨一時貯留機構５１の下部には、図１に示したように、返却側硬貨放出通路２７および収納側硬貨放出通路２８が配置されており、それぞれその先に硬貨返却部１１および硬貨収納部４４が設けられている。
【００２５】
さらに、返却用ガイド部材１には吸音手段としての吸音部材２９および吸音部材支持部２６が取り付けられており、投入された硬貨３２が返却用ガイド部材１に衝突する際の騒音の発生を抑制するようになっている。
【００２６】
なお、吸音部材支持部２６と返却側硬貨放出通路２７の隙間の寸法ΔＬｘが５ｍｍ程度になるように吸音部材支持部２６を配置するようにすれば、硬貨返却口から手や工具等が挿入されてカム３やカム４を操作できない構成となる。
【００２７】
また、吸音部材２９は、ウレタンやスポンジ素材により構成すればよく、カム３、４に干渉しないように返却用ガイド部材１と吸音部材支持部２６の間の空間を隙間無く、先端近くまで埋めるように貼り付けるようにするとよい。
【００２８】
（動作）
以上の構成により実施例１の硬貨処理装置５０は、以下のように動作する。この動作を前述の図１、図２および図３、図４の動作説明図を用いて以下詳細に説明する。
【００２９】
図１のように、硬貨処理装置５０に投入された硬貨３２は硬貨繰り出し部４１および識別部４２を経て、正常と判定されたものが、図２で示す硬貨一時貯留機構５１に送られて集積する。
【００３０】
硬貨一時貯留機構５１は、カム３および４によって返却用ガイド部材１および収納用ガイド部材２が外側へ開くことを規制しており、硬貨集積中は図示しない硬貨返却部規制部材によって、硬貨返却部１１を引き抜けないように規制している。
【００３１】
このとき、硬貨一時貯留機構５１に送られて集積する硬貨３２は図１に示したように返却用ガイド部材１にぶつかるが、返却用ガイド部材１の下側に設けられた吸音部材２９にて消音され、騒音の発生を少なくすることができる。
【００３２】
そして、硬貨一時貯留機構５１内の枚数がある一定枚数になるか、または全ての硬貨の集積が終わると、貯留動作を終了する。
【００３３】
ここで、図示しない操作部の操作画面等により顧客の意思確認を行い、「収納」するか「返却」するかを選択する。そして、顧客が「返却」を選択した場合は、図３のように、ガイド回転モータ５を時計方向（ＣＷ方向）に回転させ、ギヤ７およびギヤ１０を時計方向に回転させ、突起１８およびカム３の当接位置を移動させて返却用ガイド部材１を矢印Ｂのように外側へ開き、硬貨一時貯留機構５１の下底部に設けられた硬貨返却部１１の返却側硬貨放出通路２７を経由して硬貨返却部１１に硬貨３２を集積させる。
【００３４】
一方、「収納」が選択されたときは、図４のように、ガイド回転モータ５を反時計方向（ＣＣＷ方向）に回転させ、ギヤ８およびギヤ１０を反時計方向に回転させ、突起１９およびカム４の当接位置を移動させて収納用ガイド部材２を矢印Ｃのように外側に開き、収納側硬貨放出通路２８を経由して硬貨収納部４４に集積する。
【００３５】
以上の硬貨振り分け動作が終了すると、ガイド回転モータ５の回転を元に戻し、ギヤ７または８の突起１８または１９をもとの位置に戻し、スプリング２０により返却用ガイド部材１および収納用ガイド部材２を再び内側に閉じ、ギヤ１０とともにカム３、４を元に戻して返却用ガイド部材１および収納用ガイド部材２が外側に開かないように規制する。
【００３６】
そして、硬貨３２を硬貨返却部１１に返却した場合は、返却用ガイド部材１を内側に閉じた後に図示しない硬貨返却部規制部材による規制を解除し、顧客が硬貨処理装置１から硬貨返却部１１を引き抜いて、集積された返却硬貨を取り出せるようにする。
【００３７】
そして、顧客が硬貨返却部１１を引き抜いたときは、返却用ガイド部材１は吸音部材支持部２６とともに図３の矢印Ｂとは反対側の内側に閉じ図１の状態となっているので、吸音部材支持部２６によりカム３および４が被われ、硬貨返却口から手や工具等を挿入しカム３および４を回転し硬貨一時貯留機構５１内の硬貨３２を落下させる行為を防止することもできる。すなわち、顧客が投入した金額と返却または収納した金額が一致しなくなることを防止することもできる。
【００３８】
なお、以上の実施例の説明では、返却用ガイド部材１の下側のみに吸音部材２９および吸音部材支持部２６を設けるように説明したが、図５に示したように収納用ガイド部材２の下側に吸音部材２９ｂとこれを支持する吸音部材支持部２６ｂを取り付けるようにすると、さらに硬貨一時貯留機構５１に集積される硬貨３２の落下による騒音の発生を少なくすることができる。
【００３９】
（実施例１の効果）
以上のように、実施例１の硬貨処理装置によれば、返却用ガイド部材、或いはさらに収納用ガイド部材の下側に吸音部材およびこれを支持する吸音部材支持部を取付けるようにしたので、硬貨一時貯留機構に集積される硬貨が返却用ガイド部材、或いはさらに収納用ガイド部材にぶつかって発生する騒音を低減することができる。
【００４０】
また、硬貨返却部が引き抜かれているときは、返却用ガイド部材を吸音部材支持部とともに内側に閉じて吸音部材支持部によりカムを被うようにしたので、硬貨返却部が引き抜かれているときに硬貨返却口から手や工具等を挿入しカムが操作されることを防止するという作用もある。
【産業上の利用可能性】
【００４１】
以上述べたように、本発明は、投入された硬貨を一時貯留して返却または収納する硬貨処理装置に広く用いることができる。
【符号の説明】
【００４２】
１    返却用ガイド部材
２    収納用ガイド部材
３、４  カム
５    ガイド回転モータ
６〜１０  ギヤ
１１  硬貨返却部
１２、１３  サイドフレーム
１４、１５  ガイド支点シャフト
１６、１７  押圧部
１８、１９  突起
２０    スプリング
２１、２２  リミッタ
２３    シャフト
２４    返却用ガイド部材凸部分
２５    収納用ガイド部材凸部分
２６    吸音部材支持部
２７    返却側硬貨放出通路
２８    収納硬貨放出通路
２９    吸音部材
３０    硬貨投入口
３１    硬貨集積口
３２    硬貨
３２ｂ  異物
４１    硬貨繰出し部
４２    識別部
４３    リジェクト部
４４    硬貨収納部
５０    硬貨処理装置
５０ａ  硬貨処理装置上段
５０ｂ  硬貨処理装置下段
５１    硬貨一時貯留機構
【図１】
0005648535.tif 000002
【図２】
0005648535.tif 000003
【図３】
0005648535.tif 000004
【図４】
0005648535.tif 000005
【図５】
0005648535.tif 000006
【図６】
0005648535.tif 000007